(57)【要約】      （修正有）【課題】１本のステンレス金属細棒を手などで折り曲げて、今までに無い新型の原稿置きを提供する。【解決手段】直径２ミリほどのステンレス金属棒を折り曲げて成型する。まず、下から上に渦巻き状に４重ほど折り曲げて、底直径１２センチ、高さ３センチほどの円錐台を形成する。次にその先端をさらに中央に伸ばして、今度は縦に横直径６センチ、縦径４センチほどの楕円形となるよう折り曲げる。それから、楕円形の底にある金属棒の先端をさらに楕円形の外側に数ミリ離して上へ伸ばし高さ１８センチほどの縦長ハート型を形成する。金属棒の先端はハート型枠の下に来ているが、そこを少し下へ伸ばし、渦巻き円錐台の５重の金属棒の最上の輪に接触してとまるよう折り曲げる。縦の楕円枠とその外側に接するハート型枠の間に出来る少しの隙間に普通紙が数枚挟めるように調節する。【選択図】図１
0003141804.tif 000002
【実用新案登録請求の範囲】
【請求項１】
直径２ミリほどのステンレス金属棒を渦巻状に折り曲げて、図面のように高さ３センチ、底直径１２センチほどの円錐台状になるよう４重巻きほどの渦巻きを作り、その上部先端のステンレス金属棒を中央に伸ばし、縦にぐるりと短直径５センチ、長径６センチほどの楕円を描くように折り曲げる。さらに、その楕円の下部にある先端を外側に沿って下から上にハートを縦長に引き伸ばした形に高さ２０センチほどになるよう伸ばしながら折り曲げていく。その先端はハート形の片側下部になるが、そこを縦の楕円形丸枠の外側すれすれを通って渦巻きの上部金属棒の内側に入るまで伸ばして終点とする。このハート型枠は楕円形縦枠の上部から１５度ほど後ろに傾けて折り曲げる。なを一番下の渦巻き棒の片側中央にある始点をさらに下から上に伸ばし、上から４重の渦巻きを覆うよう中央の縦楕円枠に平行に沿って折り曲げ一番下の渦巻き棒の下で止め終点とし、ここが新しい始点となる。この楕円形縦枠と後ろのハート型枠の間に出来る隙間にＡ４の原稿紙やメモを挟んで立てかけ置き、渦巻き棒の上部に鉛筆やボールペンを立てることが出来るようにする。以上のように構成される金属棒新型原稿置き。
【考案の詳細な説明】
【技術分野】
【０００１】本考案は、一本の金属棒を折り曲げて、溶接や止めねじなどを使わずに、ただ一本の金属棒を手などで折り曲げて成型する。
【背景技術】
【０００２】    金属棒楕円縦枠とハート型縦枠の間に出来るわずかな隙間に原稿紙、メモをはさみおけるようにしてある。
【考案の開示】
【考案が解決しようとする課題】
【０００３】    今までに無い新型にし、金属棒を渦巻き状に折り曲げ円錐台型の土台とし、その先を紙ばさみになるよう折り曲げていく。
【課題を解決するための手段】
【０００４】  本考案は一本の金属棒を渦巻状に折り曲げて、円錐台型の土台を作り、その上部の先端をさらに縦に伸ばして楕円型の丸縦枠を形成し、さらにその外側に、ハートを縦長にした枠を形成し、この二つの枠の隙間に紙を挟めるようする、
【考案の効果】
【０００５】  本考案は単に一本の細い金属棒を手などで折り曲げて成型するため、溶接や止めねじなどは使わず省エネでクリーンな製造ができる。原料代がすこぶる安価で経済的である。パソコンの脇に置く簡単な原稿置き、メモ置きとして役に立つ。さらに、渦巻状に巻いた土台の渦巻き上部の空間をペン立てに利用できる。さらに、ハート型枠の上部の凹部には飾りをぶら下げることも出来る。
【考案を実施するための最良の形態】
【０００６】  枠の材料は加工がしやすい程度のやわらかさと形がくずれない硬さを兼ね備える直径２ミリほどのステンレス丸棒が最も良い。
【実施例】
【０００７】  直径２ミリのステンレス金属丸棒を渦巻状に４重折り曲げて、底直径１２センチ、高さ３センチの円錐台を形成する。この際、下から上に渦巻きを作っていくのであるが、その先端をさらに円の中央に伸ばし、上に向って横６センチ、縦５センチの楕円形となるように折り曲げて、縦に楕円枠を形成する。この際、折り曲げ棒の先端は楕円枠の下にあるのであるが、そこをさらに、楕円枠の外側に沿って上に伸ばし、高さ２０センチのハートを縦長にしたような形に折り曲げて、ハート型の縦枠を作る。この枠の先端は折り曲げの終点となるのであるが、そこは渦巻き状円錐台の上部の輪の内側に、ちょっと入った点となるようにする。さらに、これらの二本の縦枠の間には普通紙が数枚挟めるほどの隙間が出来るように調整する。さらにハート型縦枠については内側の楕円枠の上部の位置から外側に１５度傾けて折り曲げる。このようにして、これらの二本の縦枠の間に原稿、メモなどを挟んで置けるようにする。さらに、円錐台状の渦巻きの始点は底辺の片側中央にあるが、そこをさら上に伸ばし４重の渦巻き棒を上からかぶせるように巻き込む形に折り曲げて、片側の底辺に届くとこで終点としそこが新しい始点となるようにする。
【産業上の利用可能性】
【０００８】  ステンレス金属細棒を用いるので材料が少ない。溶接、ねじ止め、接着剤など使わず、手などで折り曲げるだけである。そのため省エネ、クリーンで安価で経済的である。今までにない新型でコンパクトな形状が好感できる。
【図面の簡単な説明】
【０００９】
【図１】  本考案による金属棒新型原稿置きの正面図である。
【図２】  本考案による金属棒新型原稿置きの平面図である。
【図３】  本考案による金属棒新型原稿置きの側面図である。
【図４】  本考案による金属棒新型原稿置きにＡ４原稿紙を挟み置いた状態を示す図である。
【図１】
0003141804.tif 000003
【図２】
0003141804.tif 000004
【図３】
0003141804.tif 000005
【図４】
0003141804.tif 000006
【手続補正書】
【提出日】平成20年1月25日(2008.1.25)
【手続補正１】
【補正対象書類名】実用新案登録請求の範囲
【補正対象項目名】全文
【補正方法】変更
【補正の内容】
【実用新案登録請求の範囲】
【請求項１】
直径２ミリほどの一本のステンレス金属棒の一番下の先を起点として上に進みながら左回りに折り曲げ、高さ１８センチ、最大横幅１３センチほどで、ハート型を縦長にして下部を閉じず幅７センチほど開けた形の金属棒枠を形成し、この左側の足もとをさらに左から右に進めながら上にぐるりと回し、高さ４センチ幅６センチほどの楕円形の輪をハート型大枠の内側に接して抱え込まれるようにして形成する。この結果、ハート形と楕円形の２枠が前後並立する。続いて、この楕円形枠の先端は左下にあるが、さらにそこから楕円枠の下に沿って右横方向に６センチほど進んで、空を切っている起点のハート型棒枠の右側根元の外側に接して巻き込むように手前に曲がり、そこから水平左回りで両枠に垂直に直径８センチほどの渦巻きを形成する。渦巻きはこの両枠が輪の中央に立つように形成する。さらに、この渦巻きの先を進めて、一重ごとに半径を１センチほど輪を大きくし下に伸ばしながら渦を巻き、４重巻きの円錐台状にする。さらに渦巻きがばねの反発力で上に動くのを防ぐため、この４重巻きの行き先である最下部右側中央から、同金属棒を右下から左上に進め、この４重の渦巻き円錐台状金属棒輪巻き全体を下から上に覆いかぶさって抑える。ここで終点とする。次に、上部の楕円形小枠とハート型大枠の間に原稿紙を数枚挟んで置けるように間隔をあける。そのために、先の前後並立している楕円形棒枠とハート型金属棒縦枠とのうち後者を土台となる渦巻き円錐台よりやや後ろに８度ほど傾けるよう折り曲げる。以上のように一本のステンレス金属棒を折り曲げて構成される金属棒新型原稿置き。